(57)【要約】【課題】ワイヤレス通信技術分野に関する、ワイヤレスインターネットモジュール、ユーザ端末、およびワイヤレス通信方法を提供する。【解決手段】従来技術において、ワイヤレスインターネットモジュールの体積が大きいことによって、ワイヤレスインターネットモジュールを小型で超薄型のユーザ端末の内部に設置することができないという問題を解決するため、提供されるワイヤレスインターネットモジュールは、セキュリティデジタルカードインターフェースサブモジュールと、ワイヤレスインターネット処理サブモジュールとを含み、ワイヤレスインターネット処理サブモジュールは、セキュリティデジタルカードインターフェースを介してユーザ端末と通信する。この実施形態により、ワイヤレスインターネットモジュールのスペース容量が減少するだけでなく、インターネット装置のタイプが豊富になり、ユーザ体験が改善される。【選択図】図１
2014207710.tif 000002
【特許請求の範囲】
【請求項１】
ワイヤレス通信方法であって、
多重（ＭＵＸ）ドライバは、ユーザ機器（ＵＥ）とワイヤレスインターネットモジュール用に構成されており、
前記方法は、
前記ワイヤレスインターネットモジュールにより、前記ＵＥによりセキュアデジタルメモリカード(ＳＤカード)インターフェースを通じて送信されるＭＵＸデータ情報を受信するステップであって、前記ＭＵＸデータ情報は、伝送制御コマンドと、伝送ネットワークパケットの少なくとも１つを含む、ステップと、
前記ワイヤレスインターネットモジュールにより、前記ＭＵＸデータ情報を識別するステップと、
前記ＭＵＸデータ情報が伝送制御コマンドを具備しているならば、前記ワイヤレスインターネットモジュールにより、伝送制御コマンドインターフェースを通じて、対応する処理ユニットに、前記ＭＵＸデータ情報を送信するステップと、
前記ＭＵＸデータ情報が伝送ネットワークパケットを具備しているならば、前記ワイヤレスインターネットモジュールにより、伝送ネットワークパケットインターフェースを通じて他の対応する処理ユニットに前記ＭＵＸデータ情報を送信するステップと、
を具備し、
前記伝送制御コマンドインターフェース及び前記伝送ネットワークパケットインターフェースは、ＭＵＸドライバにより提供されることを特徴するワイヤレス通信方法。
【請求項２】
前記伝送制御コマンドインターフェース及び前記伝送ネットワークパケットインターフェースは、ウィンドウズ（登録商標）システムのＣＯＭポートであることを特徴する請求項１に記載のワイヤレス通信方法。
【請求項３】
前記ワイヤレスインターネットモジュールにより、中間周波数信号またはベースバンド信号であるワイヤレスデジタル信号を受信するステップと、
前記ワイヤレスインターネットモジュールにより、前記ワイヤレスデジタル信号をＭＵＸデータ情報にカプセル化するステップと、
前記ワイヤレスインターネットモジュールにより、前記ＭＵＸデータ情報を前記ＳＤカードインターフェースを通じて前記ＵＥに送信するステップと、
をさらに具備することを特徴する請求項１または請求項２に記載のワイヤレス通信方法。
【請求項４】
前記ＳＤカードインターフェースは、ＳＤＩＯインターフェースと、ＳＰＩシリアルインターフェースの少なくとも１つを備えていることを特徴する請求項１から３のいずれか一項に記載のワイヤレス通信方法。
【請求項５】
前記ＭＵＸデータ情報は、データタイプの識別子を含むことを特徴する請求項１から４のいずれか一項に記載のワイヤレス通信方法。
【請求項６】
前記伝送制御コマンドは、タイプ識別子が０であるパケットにカプセル化され、前記伝送ネットワークパケットは、タイプ識別子が１であるパケットにカプセル化されることを特徴する請求項５に記載のワイヤレス通信方法。
【請求項７】
ワイヤレス通信方法であって、
多重（ＭＵＸ）ドライバは、ユーザ機器（ＵＥ）とワイヤレスインターネットモジュール用に構成されており、
前記方法は、
前記ＵＥにより、前記ワイヤレスインターネットモジュールによりセキュアデジタルメモリカード(ＳＤカード)インターフェースを通じて送信されるＭＵＸデータ情報を受信するステップであって、前記ＭＵＸデータ情報は、伝送制御コマンドと、伝送ネットワークパケットの少なくとも１つを含む、ステップと、
前記ＵＥにより、前記ＭＵＸデータ情報を識別するステップと、
前記ＭＵＸデータ情報が伝送制御コマンドを具備しているならば、前記ＵＥにより、前記ＭＵＸデータ情報は、処理のために伝送制御コマンドインターフェースを通じて前記ＵＥのダッシュボードに送信されるステップと、
前記ＭＵＸデータ情報が伝送ネットワークパケットを具備しているならば、前記ＵＥにより、前記ＭＵＸデータ情報は、処理のために伝送ネットワークパケットインターフェースを通じて前記ＵＥのダッシュボードに送信されるステップと、
を具備し、
前記伝送制御コマンドインターフェース及び前記伝送ネットワークパケットインターフェースは、ＭＵＸドライバにより提供されることを特徴するワイヤレス通信方法。
【請求項８】
前記伝送制御コマンドインターフェース及び前記伝送ネットワークパケットインターフェースは、ウィンドウズ（登録商標）システムのＣＯＭポートであることを特徴する請求項７に記載のワイヤレス通信方法。
【請求項９】
前記ＳＤカードインターフェースは、ＳＤＩＯインターフェースと、ＳＰＩシリアルインターフェースの少なくとも１つを備えていることを特徴する請求項７または請求項８に記載のワイヤレス通信方法。
【請求項１０】
前記ＭＵＸデータ情報は、データタイプの識別子を含むことを特徴する請求項７から９のいずれか一項に記載のワイヤレス通信方法。
【請求項１１】
前記伝送制御コマンドは、タイプ識別子が０であるパケットにカプセル化され、前記伝送ネットワークパケットは、タイプ識別子が１であるパケットにカプセル化されることを特徴する請求項１０に記載のワイヤレス通信方法。
【請求項１２】
プログラムが記録されたコンピュータ可読記録媒体であって、前記プログラムは、コンピュータに請求項１から６に記載の方法を実行させることを特徴するコンピュータ可読記録媒体。
【請求項１３】
プログラムが記録されたコンピュータ可読記録媒体であって、前記プログラムは、コンピュータに請求項７から１１に記載の方法を実行させることを特徴するコンピュータ可読記録媒体。
【請求項１４】
ワイヤレスインターネットモジュールであって、
多重（ＭＵＸ）ドライバは、ユーザ機器（ＵＥ）と前記ワイヤレスインターネットモジュール用に構成されており、
前記ワイヤレスインターネットモジュールは、
前記ＵＥによりセキュアデジタルメモリカード（ＳＤカード）インターフェースを通じて送信されるＭＵＸデータ情報を受信する手段であって、前記ＭＵＸデータ情報は、伝送制御コマンドと伝送ネットワークパケットの少なくとも１つを含む、手段と、
前記ＭＵＸデータ情報を識別する手段と、
前記ＭＵＸデータ情報が伝送制御コマンドを具備しているならば、伝送制御コマンドインターフェースを通じて対応する処理ユニットに前記ＭＵＸデータ情報を送信する手段と、
前記ＭＵＸデータ情報が伝送ネットワークパケットを具備しているならば、伝送ネットワークパケットインターフェースを通じて他の対応する処理ユニットに前記ＭＵＸデータ情報を送信する手段と、
を具備し、
前記伝送制御コマンドインターフェース及び前記伝送ネットワークパケットインターフェースは、ＭＵＸドライバにより提供されることを特徴するワイヤレスインターネットモジュール。
【請求項１５】
前記伝送制御コマンドインターフェース及び伝送ネットワークパケットインターフェースは、ウィンドウズ（登録商標）システムのＣＯＭポートであることを特徴する請求項１４に記載のワイヤレスインターネットモジュール。
【請求項１６】
中間周波数信号またはベーバンド信号であるワイヤレスデジタル信号を受信するための手段と、
前記ワイヤレスデジタル信号をＭＵＸデータ情報にカプセル化するための手段と、
前記ＭＵＸデータ情報を、前記ＳＤカードインターフェースを通じて前記ＵＥに送信するための手段と、
をさらに具備することを特徴する請求項１４または請求項１５に記載のワイヤレスインターネットモジュール。
【請求項１７】
前記ＳＤカードインターフェースは、ＳＤＩＯインターフェースと、ＳＰＩシリアルインターフェースの少なくとも１つを備えていることを特徴する請求項１４から１６のいずれか一項に記載のワイヤレスインターネットモジュール。
【請求項１８】
前記ＭＵＸデータ情報は、データタイプの識別子を含むことを特徴する請求項１４から１７のいずれか一項に記載のワイヤレスインターネットモジュール。
【請求項１９】
前記伝送制御コマンドは、タイプ識別子が０であるパケットにカプセル化され、前記伝送ネットワークパケットは、タイプ識別子が１であるパケットにカプセル化されることを特徴する請求項１８に記載のワイヤレスインターネットモジュール。
【請求項２０】
ユーザ機器（ＵＥ）であって、
多重（ＭＵＸ）ドライバは、前記ＵＥとワイヤレスインターネットモジュール用に構成されており、
前記ＵＥは、
セキュアデジタルメモリカード（ＳＤカード）インターフェースを通じて前記ワイヤレスインターネットモジュールにより送信されるＭＵＸデータ情報を受信するための手段であって、前記ＭＵＸデータ情報は、伝送制御コマンドと、伝送ネットワークパケットの少なくとも１つを含む、手段と、
前記ＭＵＸデータ情報を識別するための手段と、
前記ＭＵＸデータ情報が伝送制御コマンドを具備しているならば、前記ＭＵＸデータ情報を処理のために伝送制御コマンドインターフェースを通じて前記ＵＥのダッシュボードに送信するための手段と、
前記ＭＵＸデータ情報が伝送ネットワークパケットを具備しているならば、前記ＭＵＸデータ情報を処理のために伝送ネットワークパケットインターフェースを通じて前記ＵＥのダッシュボードに送信するための手段と、
を具備し、
前記伝送制御コマンドインターフェース及び前記伝送ネットワークパケットインターフェースは、ＭＵＸドライバにより提供されることを特徴するユーザ機器。
【請求項２１】
前記伝送制御コマンドインターフェース及び前記伝送ネットワークパケットインターフェースは、ウィンドウズ（登録商標）システムのＣＯＭポートであることを特徴する請求項２０に記載のユーザ機器。
【請求項２２】
前記ＳＤカードインターフェースは、ＳＤＩＯインターフェースと、ＳＰＩシリアルインターフェースの少なくとも１つを備えていることを特徴する請求項２０または請求項２１に記載のユーザ機器。
【請求項２３】
前記ＭＵＸデータ情報は、データタイプの識別子を含むことを特徴する請求項２０から２２のいずれか一項に記載のユーザ機器。
【請求項２４】
前記伝送制御コマンドは、タイプ識別子が０のパケットにカプセル化され、前記伝送ネットワークパケットは、タイプ識別子が１のパケットにカプセル化されることを特徴する請求項２３に記載のユーザ機器。
【発明の詳細な説明】
【技術分野】
【０００１】
本出願は、参照によりその全体が本明細書に組み込まれる、2010年4月23日に中国特許庁に出願された「Wireless Internet Module, User Equipment, Secure Digital Memory Card and Wireless Communication Method」という名称の中国特許出願第201010154212.7号の優先権を主張するものである。
【０００２】
本発明は、ワイヤレス通信技術に関し、詳細には、ワイヤレスインターネットモジュール、ユーザ機器(UE)、およびワイヤレス通信方法に関する。
【背景技術】
【０００３】
ワイヤレスデータサービスの発展に伴い、かなりのアップリンク速度およびダウンリンク速度、簡易化、ならびに利便性により、ワイヤレスインターネットモジュールが普及している。一般に、ワイヤレスインターネットモジュールは、独立したインターフェースを介してパーソナルコンピュータ(PC)に接続される。一般に、PCのインターフェースはメインボード上に配置されるので、ワイヤレスインターネットモジュールをPCのメインボード上に設ける必要がある。独立したインターフェースは、ユニバーサルシリアルバス(USB)スティックインターフェース、エクスプレスカードインターフェース、ミニPCI-Eインターフェース、またはパーソナルコンピュータメモリカード国際協会(PCMIA)インターフェースであってもよい。
【発明の概要】
【課題を解決するための手段】
【０００４】
本発明の実施形態は、ワイヤレスインターネットモジュール、ユーザ機器、およびワイヤレスインターネットモジュールによって占有されるスペースを縮小し、インターネットアクセスが可能なユーザ機器を多様化するためのワイヤレス通信方法を提供する。
【０００５】
本発明の一実施形態において提供されるワイヤレスインターネットモジュールは、SDカードインターフェースサブモジュールと、ワイヤレスインターネット処理サブモジュールとを含み、ワイヤレスインターネット処理サブモジュールは、SDカードインターフェースサブモジュールを介してユーザ機器と情報を交換する。
【０００６】
本発明の一実施形態において提供されるユーザ機器は、前述のワイヤレスインターネットモジュールを含む。
【０００７】
本発明の一実施形態において提供されるワイヤレス通信方法は、
SDカードインターフェースを介してユーザ機器によって送信されたアップリンク多重(MUX)データ情報を受信するステップと、
アップリンクMUXデータ情報を識別するステップと、
アップリンクMUXデータ情報が伝送制御コマンドを含む場合、伝送制御コマンドインターフェースを介してアップリンクMUXデータ情報を送信するステップと、
アップリンクMUXデータ情報が伝送ネットワークパケットを含む場合、伝送ネットワークパケットインターフェースを介してアップリンクMUXデータ情報を送信するステップとを含む。
【０００８】
本発明の一実施形態において提供される別のワイヤレス通信方法は、
送信されるデータ情報をダウンリンクMUXデータ情報にカプセル化するステップと、
SDカードインターフェースを介してダウンリンクMUXデータ情報を送信するステップとを含む。
【０００９】
本発明の一実施形態において提供されるワイヤレスインターネットモジュールは、
SDカードインターフェースを介してユーザ機器によって送信されたアップリンクMUXデータ情報を受信するように構成されたデータ受信ユニットと、
アップリンクMUXデータ情報を識別するように構成されたデータ識別ユニットと、
アップリンクMUXデータ情報が伝送制御コマンドを含む場合、伝送制御コマンドインターフェースを介してアップリンクMUXデータ情報を送信するように構成された第1のデータ送信ユニットと、
アップリンクMUXデータ情報が伝送ネットワークパケットを含む場合、伝送ネットワークパケットインターフェースを介してアップリンクMUXデータ情報を送信するように構成された第2のデータ送信ユニットとを含む。
【００１０】
本発明の一実施形態において提供されるユーザ機器は、
送信されるデータ情報をダウンリンクMUXデータ情報にカプセル化するように構成されたデータカプセル化ユニットと、
SDカードインターフェースを介してダウンリンクMUXデータ情報を送信するように構成された情報送信ユニットとを含む。
【００１１】
ワイヤレスインターネットモジュール、ユーザ機器、およびワイヤレス通信方法が本明細書において提供される。ワイヤレスインターネットモジュール内のワイヤレスインターネット処理サブモジュールは、SDカードインターフェースサブモジュールを介してユーザ機器と情報を交換する。ワイヤレスインターネットモジュールは、SDカードのSDカードインターフェースサブモジュールを使用して、ユーザ機器とモジュールとの間の通信を実施する。したがって、SDカードのSDカードインターフェースサブモジュールをサポートする全てのユーザ機器は、ワイヤレスネットワーク通信を実行することができ、ワイヤレスモードでSDカードのスペースを使用することによって、ワイヤレスインターネットアクセスおよびデータ格納の機能を実施することができる。本発明の一実施形態において提供されるユーザ機器は、上記のワイヤレスインターネットモジュールを含む。ワイヤレスインターネットモジュールはSDカードが必要とするスペースのみを占有し、このことにより、開発者はより小型のユーザ機器およびインターネットアクセスが可能なより多様化したユーザ機器を設計することができる。
【図面の簡単な説明】
【００１２】
【図１】本発明の一実施形態によるワイヤレスインターネットモジュール100の構造を示す図である。
【図２】本発明の一実施形態によるワイヤレスインターネットモジュール100内のワイヤレスインターネット処理サブモジュール102を示す図である。
【図３】本発明の一実施形態によるワイヤレスインターネットモジュール100の構造を示す図である。
【図４】本発明の一実施形態によるユーザ機器の構造を示す図である。
【図５】本発明の一実施形態によるワイヤレス通信方法のフローチャートである。
【図６】本発明の一実施形態による別のワイヤレス通信方法のフローチャートである。
【図７】本発明の一実施形態によるワイヤレスインターネットモジュールの構造を示す図である。
【図８】本発明の一実施形態によるユーザ機器の構造を示す図である。
【図９】本発明の一実施形態における、ワイヤレスインターネットモジュールと対応するユーザ機器との間の信号フローを示す図である。
【図１０】本発明の一実施形態における、シリアルペリフェラルインターフェース(SPI)バスまたはセキュアデジタル入力/出力(SDIO)バス上で伝送されたパケットの構成を示す図である。
【図１１】本発明の一実施形態によるSDカードを示す図である。
【発明を実施するための形態】
【００１３】
添付の図面を参照しながら、本明細書において提供されるワイヤレスインターネットモジュール、ユーザ機器、およびワイヤレス通信方法について、以下に説明する。
【００１４】
図1は、本発明の一実施形態によるワイヤレスインターネットモジュール100の構造を示す。このモジュールは、SDカードインターフェースサブモジュール101と、ワイヤレスインターネット処理サブモジュール102とを含み、ワイヤレスインターネット処理サブモジュール102は、SDカードインターフェースサブモジュール101を介してユーザ機器と情報を交換する。
【００１５】
SDカードスロットまたはマイクロセキュアデジタルメモリカード(MicroSD)スロットを介してワイヤレスインターネットモジュール100をユーザ機器に挿入して、ワイヤレス接続を確立することができる。このユーザ機器を用いて、ユーザは、例えば、ワイヤレスネットワークを介してインターネットにアクセスし、そのワイヤレスネットワークを介して写真を送信することができる。
【００１６】
SDカードインターフェースサブモジュールは、SDIOインターフェースサブモジュールまたはSPIサブモジュールを含む。SDIOインターフェースサブモジュールはSDバス通信モードに対応し、SPIサブモジュールはSPIバス通信モードに対応する。SDカードインターフェースサブモジュールは、SDカードインターフェースである。SDIOインターフェースサブモジュールはSDIOインターフェースであり、SPIサブモジュールはSPIシリアルインターフェースである。
【００１７】
ワイヤレスインターネットモジュール100の外観は、SDカードの外観と同じである。例えば、ワイヤレスインターネットモジュール100の寸法は、SDカードの寸法(24mm×32mm×2.1mm)であってもよい。SDIOインターフェースサブモジュールおよびSPIサブモジュールはいずれも、SDカードのインターフェースとして認識されうる。SDカードインターフェースサブモジュール101を介してワイヤレスインターネット処理サブモジュール102およびユーザ機器によって交換される情報は、ワイヤレスデータトラフィック情報およびドライバを含みうる。ワイヤレスデータトラフィック情報は、アンテナを介して受信された無線信号が無線周波数(RF)処理ユニットおよびベースバンド処理ユニットによって処理された後に取得される、伝送ネットワークパケットおよび伝送制御コマンドを含みうる。ドライバは、MUXドライバを含む。
【００１８】
図2は、本発明の一実施形態によるワイヤレスインターネットモジュール内のワイヤレスインターネット処理サブモジュール102を示す。ワイヤレスインターネット処理サブモジュール102は、アンテナ201と、RF処理ユニット202と、加入者識別モジュール(SIM)ユニット203と、ベースバンド処理ユニット204とを含む。
【００１９】
アンテナ201は、受信された無線信号をRF処理ユニット202に伝送するか、RF処理ユニット202によって伝送された信号を電磁波に変換し、その電磁波を送信するように構成される。
【００２０】
アンテナ201はワイヤレスインターネットモジュールのメインボードに設けられてもよいことに留意されたい。図3に示すように、SDカードインターフェースサブモジュール101はワイヤレスインターネットモジュールの側に配置され、アンテナ201はワイヤレスインターネットモジュールの反対側に配置される、すなわち、アンテナ201およびSDカードインターフェースは、ワイヤレスインターネットモジュールの両側に配置される。あるいは、アンテナは、ワイヤレスインターネットモジュールのメインボード端子を介してRF処理ユニットに接続される外部アンテナであってもよい。
【００２１】
アンテナの周囲の領域を確保することができること、およびこの領域に如何なる構成要素も設けることができないことに留意されたい。
【００２２】
RF処理ユニット202は、アンテナ201によって受信された無線信号に周波数選択、増幅、およびダウンコンバージョンを行い、無線信号を中間周波数信号またはベースバンド信号に変換し、その信号をベースバンド処理ユニットに送信するように構成されるか、RF処理ユニット202は、ベースバンド処理ユニット204によって送信されたベースバンド信号または中間周波数信号にアップコンバージョンおよび適切な増幅を行い、アンテナ201を介してその信号を送信するように構成される。
【００２３】
SIMユニット203は、ユーザパラメータ情報を格納するように構成される。ユーザパラメータ情報は、デジタル携帯電話ユーザおよび暗号鍵に関する情報を含むことができ、この情報によって、ネットワークがユーザの識別情報を認証し、ユーザの会話において生成された音声情報を暗号化する。
【００２４】
SIMユニットはSIMダイと共にパッケージされたチップであってもよいことに留意されたい。
【００２５】
ベースバンド処理ユニット204は、SIMユニット203によって取得されたパラメータ情報ならびにMUXドライバおよびワイヤレス通信の要件に従って、受信された中間周波数信号またはベースバンド信号を処理し、または、SDカードインターフェースサブモジュール101を介してユーザ機器によって送信されたMUXデータ情報を受信し、MUXデータ情報を識別し、データ情報が伝送制御コマンドを含む場合、伝送制御コマンドインターフェースを介してデータ情報を送信するか、データ情報が伝送ネットワークパケットを含む場合、伝送ネットワークパケットインターフェースを介してデータ情報を送信するように構成される。
【００２６】
ワイヤレスインターネット処理サブモジュール102は、電源管理ユニット205と格納ユニット206とをさらに含みうることに留意されたい。
【００２７】
電源管理ユニット205は、ユーザ機器の供給電圧をベースバンド処理ユニット204、格納ユニット206、RF処理ユニット202、およびSIMユニット203が必要とする電圧に変換して、これらのユニットに電力を供給するように構成される。
【００２８】
格納ユニット206は、ベースバンド処理ユニット204によって取得された伝送ネットワークパケットと、ワイヤレスインターネットモジュールを動作させるのに必要なアプリケーションとを格納するように構成される。
【００２９】
格納ユニット206は、ワイヤレスインターネットモジュールの実行プログラムを格納するように構成されうるか、格納ユニット206は、(1)SDカードのような、外部ファイルを格納するための格納スペースとして働く、(2)ワイヤレスインターネットモジュールの実行プログラムを格納するという2つの目的を果たしうる。
【００３０】
図4に示すように、本発明の一実施形態において提供されるユーザ機器400は、上記のワイヤレスインターネットモジュール100を含む。詳細については、上記のワイヤレスインターネットモジュール100に関する説明を参照されたい。
【００３１】
ユーザ機器のSDカードスロット、またはMicroSDカードスロットに、ワイヤレスインターネットモジュールを設けることができる。
【００３２】
ワイヤレスインターネットモジュールはSDカードのSDIOインターフェースまたはSPIインターフェースを利用し、ワイヤレスインターネットモジュールの外観はSDカードまたはMicroSDカードの外観と同じなので、ワイヤレスインターネットモジュールを、SDカードインターフェースを有する任意の携帯型装置、例えば、デジタルカメラ、携帯情報端末(PDA)、およびマルチメディアプレーヤに組み込むことができることに留意されたい。このようにして、ワイヤレスインターネットは、より広い分野に適用される。
【００３３】
ワイヤレスインターネットモジュールは、広帯域符号分割多重アクセス(WCDMA(登録商標))、時分割同期符号分割多重アクセス(TD-SCDMA)、符号分割多重アクセス(CDMA)、およびWorldwide Interoperability for Microwave Access (WiMAX)などの第3世代(3G)規格、ならびに4G規格に基づくことができるが、これらに限定されないことに留意されたい。
【００３４】
図5は、本発明の一実施形態によるワイヤレス通信方法を示す。本方法は、以下のステップを含む。
【００３５】
501.ワイヤレスインターネットモジュールは、SDカードインターフェースを介してユーザ機器によって送信されたMUXデータ情報を受信する。
【００３６】
502.ワイヤレスインターネットモジュールは、MUXデータ情報を識別する。
【００３７】
503.ワイヤレスインターネットモジュールは、データ情報が伝送制御コマンドを含む場合、伝送制御コマンドインターフェースを介してデータ情報を送信する。
【００３８】
504.ワイヤレスインターネットモジュールは、データ情報が伝送ネットワークパケットを含む場合、伝送ネットワークパケットインターフェースを介してデータ情報を送信する。
【００３９】
本方法は、以下をさらに含むことに留意されたい。
【００４０】
ワイヤレスインターネットモジュールは、RF処理ユニットによって送信された中間周波数信号またはベースバンド信号であるワイヤレスデジタル信号を受信する。
【００４１】
ワイヤレスインターネットモジュールは、ワイヤレスデジタル信号をMUXデータ情報にカプセル化する。
【００４２】
ワイヤレスインターネットモジュールは、MUXデータ情報をユーザ機器に送信する。具体的には、ワイヤレスインターネットモジュール内のベースバンド処理ユニット204が、RF処理ユニット202にMUXデータ情報を処理させる。処理されたデータ情報はアンテナ201に送信され、最終的にはアンテナ201から送出される。
【００４３】
図6は、本発明の一実施形態による別のワイヤレス通信方法を示す。本方法は、以下のステップを含む。
【００４４】
601.ユーザ機器は、送信されるデータ情報をMUXデータ情報にカプセル化する。
【００４５】
602.ユーザ機器は、SDカードインターフェースを介してMUXデータ情報を送信する。
【００４６】
本方法は、以下をさらに含むことに留意されたい。
【００４７】
ユーザ機器は、SDカードインターフェースを介してワイヤレスインターネットサブモジュールによって送信されたMUXデータ情報を受信する。
【００４８】
ユーザ機器は、MUXデータ情報を識別する。
【００４９】
ユーザ機器は、データ情報が伝送制御コマンドを含む場合、伝送制御コマンドインターフェースを介してデータ情報を送信する。
【００５０】
ユーザ機器は、データ情報が伝送ネットワークパケットを含む場合、伝送ネットワークパケットインターフェースを介してデータ情報を送信する。
【００５１】
図7は、本発明の一実施形態によるワイヤレスインターネットモジュール700の構造を示す。このモジュールは、
SDカードインターフェースを介してユーザ機器によって送信されたMUXデータ情報を受信するように構成されたデータ受信ユニット701と、
MUXデータ情報を識別するように構成されたデータ識別ユニット702と、
データ情報が伝送制御コマンドを含む場合、伝送制御コマンドインターフェースを介してデータ情報を送信するように構成された第1のデータ送信ユニット703と、
データ情報が伝送ネットワークパケットを含む場合、伝送ネットワークパケットインターフェースを介してデータ情報を送信するように構成された第2のデータ送信ユニット704とを含む。
【００５２】
ワイヤレスインターネットモジュール700は、
ワイヤレスデジタル信号を受信するように構成されたデジタル信号受信ユニット705と、
ワイヤレスデジタル信号をMUXデータ情報にカプセル化するように構成されたデータカプセル化ユニット706と、
MUXデータ情報をユーザ機器に送信するように構成された情報送信ユニット707とをさらに含むことに留意されたい。
【００５３】
データ受信ユニット701、データ識別ユニット702、第1のデータ送信ユニット703、第2のデータ送信ユニット704、デジタル信号受信ユニット705、データカプセル化ユニット706、および情報送信ユニット707をベースバンド処理ユニット内に設けることができることに留意されたい。
【００５４】
図8は、本発明の一実施形態によるユーザ機器800を示す。このユーザ機器は、
送信されるデータ情報をMUXデータ情報にカプセル化するように構成されたデータカプセル化ユニット801と、
SDカードインターフェースを介してMUXデータ情報を送信するように構成された情報送信ユニット802とを含む。
【００５５】
このユーザ機器は、
SDカードインターフェースを介してワイヤレスインターネットサブモジュールによって送信されたMUXデータ情報を受信するように構成されたデータ受信ユニット803と、
MUXデータ情報を識別するように構成されたデータ識別ユニット804と、
データ情報が伝送制御コマンドを含む場合、伝送制御コマンドインターフェースを介してデータ情報を送信するように構成された第1のデータ送信ユニット805と、
データ情報が伝送ネットワークパケットを含む場合、伝送ネットワークパケットインターフェースを介してデータ情報を送信するように構成された第2のデータ送信ユニット806とをさらに含むことに留意されたい。
【００５６】
上記の実施形態に基づいて、SPIバス(またはSDバス)通信モードが3G通信用のワイヤレスインターネットモジュール向けに構成されていると仮定する。図9に示すように、MUXドライバは、ユーザ機器およびワイヤレスインターネットモジュール向けに構成される。ワイヤレスインターネットモジュール内の格納ユニットは、アプリケーション、SPI(またはSD)ドライバ、MUXドライバ、および3Gソフトウェアを格納するように構成されうる。このようにして、ワイヤレスインターネットモジュール内の3Gソフトウェアは、MUXドライバによって提供される伝送制御コマンドインターフェースおよび伝送ネットワークパケットインターフェースを介して、ユーザ機器と情報を交換することができる。情報交換は、2つの処理を含む。第1の処理は、ユーザ機器がデータ情報をワイヤレスインターネットモジュールに送信することであり、第2の処理は、ワイヤレスインターネットモジュールがデータ情報をユーザ機器に送信することである。
【００５７】
処理1:
ユーザ機器がデータ情報をワイヤレスインターネットモジュールに送信する前に、MUXドライバは、送信されるデータ情報をMUXデータ情報にカプセル化する。カプセル化されたMUXデータ情報は、SPI(またはSD)バスを介してワイヤレスインターネットモジュールに送信される。データ情報は、伝送制御コマンドおよび伝送ネットワークパケットのうちの少なくとも1つを含む。
【００５８】
ワイヤレスインターネットモジュールがMUXデータ情報を受信するとき、ワイヤレスインターネットモジュールはSPI(またはSD)バスからMUXデータ情報を取得し、次いで、MUXドライバはMUXデータ情報を識別する。MUXデータ情報内の伝送制御コマンドは、伝送制御コマンドインターフェースを介して対応する処理ユニットに送信され、MUXデータ情報内の伝送ネットワークパケットは、伝送ネットワークパケットインターフェースを介して対応する処理ユニットに送信される。
【００５９】
処理2:
ワイヤレスインターネットモジュールがデータ情報をユーザ機器に送信するとき、ワイヤレスインターネットモジュールはアンテナによって受信されたデータ情報をRF処理ユニットに送信し、RF処理ユニットは受信されたデータ情報に周波数選択、増幅、およびダウンコンバージョンを行い、データ情報を中間周波数信号またはベースバンド信号に変換し、その信号をベースバンド処理ユニットに送信する。その後、ベースバンド処理ユニットは、中間周波数信号またはベースバンド信号をMUXデータ情報にカプセル化し、SPI(またはSD)バスを介してMUXデータ情報をユーザ機器に送信する。
【００６０】
ユーザ機器がMUXデータ情報を受信するとき、ユーザ機器はSPI(またはSD)バスからMUXデータ情報を取り出し、次いで、MUXドライバはMUXデータ情報を識別する。MUXドライバは、情報タイプに従って、識別されたデータを伝送制御コマンドインターフェースおよび伝送ネットワークパケットインターフェースに送信する。最後に、データ情報は処理のためにユーザ機器のダッシュボードに送信される。2つのポートがMUXドライバによって提供される(この2つのポートは、Windows（登録商標）システム内の2つのCOMポート、すなわち、伝送制御コマンドインターフェースおよび伝送ネットワークパケットインターフェースである)。伝送制御コマンドインターフェースは制御コマンドをMUXドライバに伝送するために使用され、伝送ネットワークパケットインターフェースはネットワークパケットをMUXドライバに伝送するために使用される。
【００６１】
伝送制御コマンドインターフェースおよび伝送ネットワークパケットインターフェースからデータ情報を受信した後、MUXドライバはSPI(またはSD)バスを介してデータ情報を送信し、この場合、ネットワークパケットが優先されることに留意されたい。
【００６２】
ユーザ機器は、ワイヤレスインターネットモジュールを含まないPC、ラップトップコンピュータ、デジタルカメラ、デジタルビデオレコーダ、またはデータカードであってもよい。本発明の実施形態は、ユーザ機器のタイプに限定されない。
【００６３】
SPI(またはSD)バス上で伝送されたパケットは、図10に示す方法で定義されてもよく、例えば、制御コマンドのタイプ識別子は0と定義され、ネットワークパケットのタイプ識別子は1と定義されることに留意されたい。
【００６４】
ワイヤレスインターネットモジュール内のMUXドライバが伝送制御コマンドインターフェース(コマンドポート)からデータを受信するとき、データはタイプ識別子が0であるパケットにカプセル化され、データはSPI(またはSD)バスを介してユーザ機器に送信される。ワイヤレスインターネットモジュール内のMUXドライバが伝送ネットワークパケットインターフェース(データポート)からデータを受信するとき、データはタイプ識別子が1であるパケットにカプセル化され、データはSPI(またはSD)バスを介してユーザ機器に送信される。
【００６５】
図11に示すように、本発明の一実施形態において提供されるSDカード1100は、SDカードインターフェースを介してユーザ機器と情報を交換するワイヤレスインターネット処理サブモジュール1101を含む。SDカードスロットまたはMicroSDカードスロットを介してSDカード1100をユーザ機器に挿入して、ワイヤレス接続を確立することができる。このユーザ機器を用いて、ユーザは、例えば、ワイヤレスネットワークを介してインターネットにアクセスし、そのワイヤレスネットワークを介して写真を送信することができる。
【００６６】
SDカードは、SDIOインターフェースおよびSPIシリアルインターフェースを含みうる。
【００６７】
ワイヤレスインターネット処理サブモジュール1101の詳細については、上記の図2に関する説明を参照されたい。
【００６８】
ワイヤレスインターネットモジュール、ユーザ機器、およびワイヤレス通信方法が本明細書において提供される。ワイヤレスインターネットモジュール内のワイヤレスインターネット処理サブモジュールは、SDカードインターフェースサブモジュールを介してユーザ機器と情報を交換する。ワイヤレスインターネットモジュールの外観は、SDカードの外観と同じである。ワイヤレスインターネットモジュールは、SDカードのSDカードインターフェースサブモジュールを使用して、ユーザ機器とモジュールとの間の通信を実施する。したがって、SDカードのSDカードインターフェースサブモジュールをサポートする全てのユーザ機器は、ワイヤレスネットワーク通信を実行することができ、ワイヤレスモードで既存のSDカードのスペースを使用することによって、ワイヤレスインターネットアクセスおよびデータ格納の機能を実施することができる。
【００６９】
本発明の一実施形態において提供されるユーザ機器は、上記のワイヤレスインターネットモジュールを含む。ワイヤレスインターネットモジュールはSDカードが必要とするスペースのみを占有し、このことにより、開発者はより小型のユーザ機器およびインターネットアクセスが可能なより多様化したユーザ機器を設計し、ユーザ体験を改善することができる。
【００７０】
当業者であれば、上記の任意の実施形態において規定された方法のステップの全てまたは一部を、関連するハードウェアに命令するプログラムによって実施することができることを理解するはずである。このプログラムは、読取り専用メモリ/ランダムアクセスメモリ(ROM/RAM)、磁気ディスク、またはコンパクトディスク読取り専用メモリ(CD-ROM)などのコンピュータ可読記憶媒体に格納されうる。このプログラムが動作するとき、プログラムは上記の任意の実施形態において規定された方法のステップを実行する。
【００７１】
上記の説明は、本発明の例示的な実施形態に過ぎず、本発明の範囲を限定することを意図していない。当業者が容易に推論することができる任意の修正形態、変形形態または置換形態は、本発明の範囲内に入るものとする。したがって、本発明の範囲は、添付の特許請求の範囲に従うものである。
【符号の説明】
【００７２】
100 ワイヤレスインターネットモジュール
101 SDカードインターネットサブモジュール
102 ワイヤレスインターネット処理サブモジュール
201 アンテナ
202 RF処理ユニット
203 加入者識別モジュール(SIM)ユニット
204 ベースバンド処理ユニット
205 電源管理ユニット
206 格納ユニット
400 ユーザ機器
700 ワイヤレスインターネットモジュール
701 データ受信ユニット
702 データ識別ユニット
703 第1のデータ送信ユニット
704 第2のデータ送信ユニット
705 デジタル信号受信ユニット
706 データカプセル化ユニット
707 情報送信ユニット
800 ユーザ機器
801 データカプセル化ユニット
802 情報送信ユニット
803 データ受信ユニット
804 データ識別ユニット
805 第1のデータ送信ユニット
806 第2のデータ送信ユニット
1100 SDカード
1101 ワイヤレスインターネット処理サブモジュール
【図１】
2014207710.tif 000003
【図２】
2014207710.tif 000004
【図３】
2014207710.tif 000005
【図４】
2014207710.tif 000006
【図５】
2014207710.tif 000007
【図６】
2014207710.tif 000008
【図７】
2014207710.tif 000009
【図８】
2014207710.tif 000010
【図９】
2014207710.tif 000011
【図１０】
2014207710.tif 000012
【図１１】
2014207710.tif 000013